(57)【要約】【課題】コードのからまりや断線等を防止することができる携帯用イヤホンマイクを提供すること。【解決手段】コード巻き取り機構を備えた携帯電話用耳掛け式イヤホンマイクであって、巻き取り機構は、ハウジングの第１の内部空間２ｃ，３ｂに配置されて、携帯電話接続プラグ１１に接続された第１のコード２９を巻き取るリール１９を備え、第１の内部空間２ｃ、３ｂに隔壁２ａを介して形成された第２の内部空間２ｂにスピーカが配置され、第１の内部空間２ｃ、３ｂに隔壁３ａを介して第２の内部空間２ｂと反対側に形成された第３の内部空間３ｃに配線基板２１が配置され、第１のコード２４とスピーカ１７に接続された第２のコード２５，２６とが、隔壁２ａに立設されたリール支軸２ｄに形成された貫通孔２ｄ１と隔壁３ａに形成された貫通孔３ａ１とを通して配線基板２１に接続されている。【選択図】図６
2008099124.tif 000002
【特許請求の範囲】
【請求項１】
コード巻き取り機構を備えた携帯電話用耳掛け式イヤホンマイクであって、
前記巻き取り機構は、ハウジングの第１の内部空間に配置されて、携帯電話接続プラグに接続された第１のコードを巻き取るリールを備え、
前記第１の内部空間に隔壁を介して形成された第２の内部空間にスピーカが配置され、  前記第１の内部空間に隔壁を介して第２の内部空間と反対側に形成された第３の内部空間に配線基板が配置され、
前記第１のコードと前記スピーカに接続された第２のコードとが、前記隔壁に立設されたリール支軸に形成された貫通孔と前記隔壁に形成された貫通孔とを通して前記配線基板に接続されていることを特徴とする携帯電話用耳掛け式イヤホンマイク。
【請求項２】
請求項１記載の携帯電話用耳掛け式イヤホンマイクにおいて、
前記配線基板には、配線パターン面に発信／着信スイッチと、前記スピーカの音量ボリュームが実装されると共に前記配線パターン面から裏側に貫通孔が形成されており、前記第１および第２のコードは、前記配線基板の貫通孔を介して前記配線パターンに接続されていることを特徴とする携帯電話用耳掛け式イヤホンマイク。
【請求項３】
請求項１または２記載の携帯電話用耳掛け式イヤホンマイクにおいて、
前記マイクは、前記ハウジングに所定角度回動可能に取り付けられたフレキシブルなマイクアームに取り付けられていることを特徴とする携帯電話用耳掛け式イヤホンマイク。
【発明の詳細な説明】
【技術分野】
【０００１】
本発明は、携帯電話用耳掛け式イヤホンマイクに関するものである。
【背景技術】
【０００２】
携帯電話は、通常、電話機本体を手に持って耳に近づけて通話を行うが、何か別の手作業を行っているなどして手が離せない場合、ハンズフリー用のイヤホンマイクを使用することができるようにイヤホンマイク接続端子を備えている。このような場合、携帯電話はポケットやカバンに入れておき、イヤホンマイクがついている長い接続コードの先端にある接続プラグを携帯電話のイヤホンマイク接続端子に接続して通話することができる。
【０００３】
使用が終わったイヤホンマイクを保管する場合、長い接続コードが邪魔になるので、不使用時に接続コードを巻き取ることができるコード巻き取り機構付きの携帯電話用耳掛け式イヤホンマイクがある（たとえば、特許文献１参照。）。
【特許文献１】登録実用新案第３０４３５８５号公報
【発明の開示】
【発明が解決しようとする課題】
【０００４】
しかしながら、携帯電話用耳掛け式イヤホンマイクのハウジングに、コード巻き取り機構のほかに、イヤホンの音量ボリュームや発信／着信スイッチ等を搭載した配線基板も内蔵した場合は、配線基板へのコードの引き回しが問題となり、コード巻き取り時にコードのからまりや断線等のおそれがある。
【０００５】
そこで本発明は、上述の課題に鑑み、コードのからまりや断線等を防止することができる携帯用イヤホンマイクを提供することを目的としている。
【課題を解決するための手段】
【０００６】
上記課題を解決するためになされた請求項１記載の発明は、コード巻き取り機構を備えた携帯電話用耳掛け式イヤホンマイクであって、前記巻き取り機構は、ハウジングの第１の内部空間に配置されて、携帯電話接続プラグに接続された第１のコードを巻き取るリールを備え、前記第１の内部空間に隔壁を介して形成された第２の内部空間にスピーカが配置され、前記第１の内部空間に隔壁を介して第２の内部空間と反対側に形成された第３の内部空間に配線基板が配置され、前記第１のコードと前記スピーカに接続された第２のコードとが、前記隔壁に立設されたリール支軸に形成された貫通孔と前記隔壁に形成された貫通孔とを通して前記配線基板に接続されていることを特徴とする。
【０００７】
上記課題を解決するためになされた請求項２記載の発明は、請求項１記載の携帯電話用耳掛け式イヤホンマイクにおいて、前記配線基板には、配線パターン面に発信／着信スイッチと、前記スピーカの音量ボリュームが実装されると共に前記配線パターン面から裏側に貫通孔が形成されており、前記第１および第２のコードは、前記配線基板の貫通孔を介して前記配線パターンに接続されていることを特徴とする。
【０００８】
上記課題を解決するためになされた請求項３記載の発明は、請求項１または２記載の携帯電話用耳掛け式イヤホンマイクにおいて、前記マイクは、前記ハウジングに所定角度回動可能に取り付けられたフレキシブルなマイクアームに取り付けられていることを特徴とする。
【発明の効果】
【０００９】
請求項１記載の発明によれば、配線基板へ接続される第１および第２のコードが、ハウジングの隔壁に立設したリール支軸と隔壁に形成された貫通孔とを介して接続されるので、コード巻き取りのためのリールの回転時に巻き取り機構に影響を与えることがなくコードを引き回すことができるため、コードのからまりや断線等を防止することができる。
【００１０】
請求項２記載の発明によれば、第１および第２のコードは、配線基板に形成された貫通孔を介して配線パターンに接続されているので、配線基板の外周を迂回せずに配線パターン側から裏側へ第１および第２のコードを配線パターンへ接続できるため、コードの引き回しが簡単になると共に組み立て作業が容易になる。
【００１１】
請求項３記載の発明によれば、マイクは、ハウジングに所定角度回動可能に取り付けられたフレキシブルなマイクアームに取り付けられているので、ユーザーが変わってもユーザーの口元に対するマイクの位置を調節することができる。
【発明を実施するための最良の形態】
【００１２】
以下、本発明の実施の形態について図面を参照して説明する。
【００１３】
図１（Ａ）および（Ｂ）は、それぞれ、本発明の実施の形態に係る携帯電話用耳掛け式イヤホンマイクの外観を示す表側斜視図および裏側斜視図、図２は、携帯電話用耳掛け式イヤホンマイク１の分解斜視図である。
【００１４】
携帯電話用耳掛け式イヤホンマイク１は、下側ハウジング２および上側ハウジング３の嵌合で形成されたハウジング本体に、後述するコード巻き取り機構、スピーカ１７および配線基板２１を内蔵している。
【００１５】
また、ハウジング本体の表側には、マイク取付部５から延長するマイクアーム６の先端に取り付けられたマイク７と、蓋部材８の表面に設けられた音量調整用のスライド釦９および発信／着信スイッチ用のプッシュ釦１０とが設けられている。
【００１６】
また、ハウジング本体の裏側には、イヤパッド１２が設けられている。さらに、ハウジング本体の側部には、耳掛け４と、解除用スライド釦１３が設けられている。さらに、ハウジング本体の側部から、巻き取り機構で巻き取られるコードに接続された携帯電話接続プラグ１１が出ている。
【００１７】
下側ハウジング２には、その中央に一体形成でリール支軸２ｄが立設されていると共にリール支軸２ｄの根本に貫通孔２ａ１が形成された隔壁２ａを挟んで、凹部２ｂ（請求項における第２の空間に相当）（図６のみに図示）および２ｃが形成されている。リール支軸２ｄには、凹部２ｂ側から上部に貫通する貫通孔２ｄ１が形成されている。凹部２ｂ内には、スピーカ１７が配置され、凹部２ｂの周壁に、放音孔が多数形成された放音板１８が嵌合固定され、さらにイヤパッド１２が取り付けられる。また、凹部２ｃには、隔壁２ａに立設されたリール支軸２ｄに、巻き取り機構のリール１９が回転可能に取り付けられる。リール１９のぜんまいバネ収納部１９ａには、ぜんまいバネ２０が配置される。また、下側ハウジング２の側部には、耳掛け取付部２ｅが形成されており、この耳掛け取付部２ｅにコイル座金１４およびネジ１５で耳掛け４が回動可能に取り付けられる。耳掛け取付部２ｅには、ネジ頭隠し部材１６が嵌合される。
【００１８】
上側ハウジング３には、その中央に貫通孔３ａ１が形成された隔壁３ａを挟んで凹部３ｂおよび３ｃ（請求項における第３の内部空間に相当）（図３及び図６に図示）が形成されている。凹部３ｂは、下側ハウジング２の凹部２ｃと共に、リール１９等を収容する請求項における第１の内部空間を形成している。凹部３ｃには、配線基板２１が配置され、凹部３ｃの周壁の外周に、開口部５ａを有するマイク取付部５が回動可能に取り付けられ、周壁の上部に、開口部５ａを覆う蓋部材８が嵌合固定される。
【００１９】
図３は、上側ハウジング３へのマイク取付部５の取り付け状態を説明する図である。
【００２０】
上側ハウジングの隔壁３ａには、その外周付近に円弧状の長溝３ｄが形成されている。マイク取付部５の下部は突起５ｂが形成されている。上側ハウジング３の凹部３ｃの周壁にマイク取付部５が取り付けられたとき、突起５ｂが長溝３ｄに挿入されることにより、マイク取付部５は、所定角度（たとえば、７０度）だけ回動可能になっている。マイク取付部５の側部には、フレキシブルな材料で形成されたマイクアーム６が取り付けられており、その先端に取り付けられたマイク７のコード（図示しない）は、マイクアーム６の内部を通して配線基板２１に接続されている。
【００２１】
図４（Ａ）および（Ｂ）は、それぞれ、配線基板２１の表側斜視図および裏側斜視図である。
【００２２】
配線基板２１の表側には、配線パターン（図示しない）が施され、スピーカ１７の音量ボリューム２２と、プッシュ式の発信／着信スイッチ２３が搭載されている。音量ボリューム２２は、スライド釦９が嵌合されるスライドレバー２２ａのスライド位置で音量調整できるようになっている。マイク７のオン／オフは、発信／着信スイッチ２３のキートップ２３ａをプッシュ釦１０で押すことにより行われるようになっている。配線基板２１には、配線パターンが施された表側から裏側に貫通する貫通孔２１ａが形成されている。この貫通孔２１ａを通して、携帯電話接続プラグ１１が接続されたＦＰＣ（請求項における第１のコードに相当）と、スピーカ１７のコード（請求項における第２のコードに相当）２５，２６とを、配線パターンに接続することができるようになっている。
【００２３】
図５は、コード巻き取り機構の巻き取り動作を説明する図である。
【００２４】
リール１９は、その中心においてリール支軸２ｄに回転可能に嵌着されている。そして、一端がリール支軸２ｄに固着され、他端がリール１９の収納凹部１９ａ内面に固着されたぜんまいバネ２０（図２参照）によって、反時計回り方向に付勢されている。リール１９の一方のフランジ１９ｂには、全周を分割した複数の切り欠き部１９ｂ１およびロック用の爪部１９ｂ２が設けられ、下側ハウジング２の隔壁２ａに立設された軸に回動可能に軸支されたストッパ２７の係止部２７ａが爪部１９ｂ２に押圧嵌入するように、一端をストッパ２７にかけ他端を下側ハウジングにかけたねじりスプリング２８によって、ストッパ２７が時計回り方向に付勢されている。
【００２５】
爪部１９ｂ２と係止部２７ａは、携帯電話接続プラグ１１が接続された接続コード（丸ケーブル２９）の引き出し時には、互いの係合がはずれ、接続コード（丸ケーブル２９）の巻き取り時には互いに係合されてロックされるラチェット手段を構成している。ストッパ２７は、下側ハウジング２の凹部２ｃの周壁に形成された溝２ｆにスライド可能に嵌合された解除用スライド釦１３の突起１３ａのスライド動作で回動され、爪部１９ｂ２と係止部２７ａの係合を解除することができるようになっている。解除用スライド釦１３は、突起１３ｂが、隔壁２ａの固定部に固着されたコイルスプリング３０に当たって付勢され、通常は爪部１９ｂ２と係止部２７ａの係合をロックするスライド位置になっている。
【００２６】
図６は、コードの引き回し状態を説明する略断面図である。
【００２７】
下側ハウジング２の凹部２ｂに収容されたスピーカ１７のコード２５，２６は、リール支軸２ｄの貫通孔２ｄ１および配線基板２１の貫通孔２１ａを通して配線基板２１の配線パターンに接続されている。
【００２８】
また、配線基板２１から携帯電話接続プラグ１１へ接続するためのコードは、配線基板２１の配線パターンに接続されたＦＰＣ２４が、配線基板２１の貫通孔２１ａおよびリール支軸２ｄの貫通孔２ｄ１を通って下側ハウジング２の凹部２ｂ側に出て、さらに、隔壁２ａの貫通孔２ａ１を通ってコードたるみ部１９ｃに入りここでゆるく数回らせん状に巻回され、さらに、リール１９のフランジ１９ｂの切り欠き部１９ｂ１を介してコード巻き取り部１９ｄに入りここで数回巻回されかつ一旦接着剤等で固定されたうえ、丸ケーブル２９に接続される。丸ケーブル２９は、同様に所定長さが接着剤で固定された後、残りがコード巻き取り部１９ｄに巻回され、その端部が上側ハウジング３の側部に形成された穴３ｅから外部に露出されて携帯電話接続プラグ１１に接続されている。すなわち、ＦＰＣ２４とＦＰＣ２４に接続された丸ケーブル２９が、請求項における第１のコードに相当する。
【００２９】
次に、上記の構成を有する携帯電話用耳掛け式イヤホンマイクの操作方法について説明する。
【００３０】
携帯電話接続プラグ１１を携帯電話に接続する際は、携帯電話接続プラグ１１または丸ケーブル２９を持って引っ張ると、反時計回りに付勢されているリール１９の爪部１９ｂ１がストッパ２７の係止部２７ａからはずれて時計回りに回転し、丸ケーブル２９がリール１９から繰り出される。そして、任意の時点で引っ張るのを止めると、リール１９の反時計回りの付勢力により、爪部１９ｂ１がストッパ２７の係止部２７ａに係合してロックされる。
【００３１】
この状態で、携帯電話接続プラグ１１を携帯電話に接続し、プッシュ釦１０を押して通話状態とし、スライド釦９でスピーカの音量調整をしたうえで、携帯電話用耳掛け式イヤホンマイク１を耳に掛け、マイクアーム６の角度を調整しかつ曲げることにより、マイク７を口元に寄せ、通話を行う。
【００３２】
次に、通話を終了した場合は、プッシュ釦１０を押して通話終了状態とし、携帯電話用耳掛け式イヤホンマイク１を耳からはずし、続いてコードを収納するときは、解除用スライド釦１３を解除位置側にスライドさせ、その位置を保持すると、リール１９の爪部１９ｂ１がストッパ２７の係止部２７ａからはずれたままとなり、リール１９はぜんまいバネ２０の復元力によって反時計回りに回転され、丸ケーブル２９が巻き取られる。その後、解除用スライド釦１３を離すと、解除用スライド釦１３は、コイルスプリング３０の復元力で原位置に復帰し、それにより、リール１９の爪部１９ｂ１がストッパ２７の係止部２７ａに係合され、使用前の状態に復帰する。
【００３３】
以上説明したように、本発明によれば、コード巻き取り機構と配線基板を有する携帯電話用耳掛け式イヤホンマイクにおいて、配線基板２１へ接続される携帯電話接続プラグ１１のコード（ＦＰＣ２４）とスピーカ１７のコード２５，２６が、下側ハウジング２の隔壁２ａに立設したリール支軸２ｄの貫通孔と隔壁２ａに形成された貫通孔２ａ１とを介して接続されるので、コード巻き取りのためのリール１９の回転時に巻き取り機構に影響を与えることがなくコードを引き回すことができるため、コードのからまりや断線等を防止することができる。
【００３４】
以上の通り、本発明の実施形態について説明したが、本発明はこれに限らず、種々の変形、応用が可能である。
【図面の簡単な説明】
【００３５】
【図１】（Ａ）および（Ｂ）は、それぞれ、本発明の実施の形態に係る携帯電話用耳掛け式イヤホンマイクの外観を示す表側斜視図および裏側斜視図である。
【図２】携帯電話用耳掛け式イヤホンマイクの分解斜視図である。
【図３】上側ハウジングへのマイク取付部の取り付け状態を説明する図である。
【図４】（Ａ）および（Ｂ）は、それぞれ、配線基板の表側斜視図および裏側斜視図である。
【図５】コード巻き取り機構の巻き取り動作を説明する図である。
【図６】コードの引き回し状態を説明する略断面図である。
【符号の説明】
【００３６】
１  携帯電話用耳掛け式イヤホンマイク
２  下側ハウジング
２ａ  隔壁
２ａ１  貫通孔
２ｂ  凹部（第２の内部空間）
２ｃ  凹部（第１の内部空間の一部）
２ｄ  リール支軸
３  上側ハウジング
３ａ  隔壁
３ｂ  凹部（第１の内部空間の一部）
３ｃ  凹部（第３の内部空間）
５  マイク取付部
６  マイクアーム
７  マイク
８  蓋部材
９  スライド釦
１０  プッシュ釦
１１  携帯電話接続プラグ
１７  スピーカ
１８  放音板
１９  リール
２１  配線基板
２１ａ  貫通孔
２２  音量ボリューム
２３  発信／着信スイッチ
２４  ＦＰＣ（第１のコードの一部）
２５  コード（第２のコードの一部）
２６  コード（第２のコードの一部）
２９  丸ケーブル（第１のコードの一部）
【図１】
2008099124.tif 000003
【図２】
2008099124.tif 000004
【図３】
2008099124.tif 000005
【図４】
2008099124.tif 000006
【図５】
2008099124.tif 000007
【図６】
2008099124.tif 000008